(57)【要約】本発明によるスマートシティシステムに適用可能なスマート家庭用エネルギーのモノのインターネットシステムは、モノのインターネットシステムであり、エネルギーメータを少なくとも１つ有し、前記エネルギーメータがモノのインターネットのインテリジェントゲットウェイに接続する対象プラットフォームと、ネットワークを介して対象プラットフォーム及び管理プラットフォームにそれぞれ接続する通信プラットフォームと、通信プラットフォーム及びサービスプラットフォームにそれぞれ接続し、事業者サーバを少なくとも１つ有する管理プラットフォームと、管理プラットフォーム及びユーザプラットフォームのそれぞれと接続し、事業者サーバを少なくとも１つ有するサービスプラットフォームと、サービスプラットフォームに接続し、ユーザ端末を少なくとも１つ有するユーザプラットフォームとを有している。センシング情報及び制御情報を伝送するように、モノのインターネットシステムにおける各サーバと、モノのインターネットのインテリジェントゲットウェイと、ユーザとエネルギーメータとの間では、互いに一対一、多対一、多対多等の方式で接続してもよいため、スマートシティシステムにおけるモノのインターネットの使用上の多様な要望を満たすことができる。【選択図】図１
2019517170.tif 000002
【特許請求の範囲】
【請求項１】
モノのインターネットのインテリジェントゲットウェイに接続するエネルギーメータを少なくとも１つ有し、前記エネルギーメータが、センシング情報を収集して前記モノのインターネットのインテリジェントゲットウェイに伝送するとともに、前記モノのインターネットのインテリジェントゲットウェイから受信した制御情報に基づいて制御を実行するように構成される対象プラットフォームと、
ネットワークを介して前記対象プラットフォーム及び管理プラットフォームとそれぞれ接続し、前記センシング情報を前記管理プラットフォームに伝送するとともに前記制御情報を前記対象プラットフォームに伝送するためのモノのインターネットのインテリジェントゲットウェイを少なくとも１つ有するように構成される通信プラットフォームと、
前記通信プラットフォーム及びサービスプラットフォームとそれぞれ接続し、前記センシング情報を前記サービスプラットフォームに伝送するとともに前記制御情報を通信プラットフォームに伝送する事業者サーバを少なくとも１つ有するように構成される管理プラットフォームと、
前記管理プラットフォーム及びユーザプラットフォームのそれぞれと接続し、前記センシング情報を前記ユーザプラットフォームに伝送するとともに前記制御情報を前記管理プラットフォームに伝送する事業者サーバを少なくとも１つ有するように構成されるサービスプラットフォームと、
前記サービスプラットフォームに接続し、前記センシング情報を受信するとともに前記制御情報を前記サービスプラットフォームに伝送するユーザ端末を少なくとも１つ有するように構成されるユーザプラットフォームと
を有することを特徴とするスマートシティシステムに適用可能なスマート家庭用エネルギーのモノのインターネットシステム。
【請求項２】
前記少なくとも１つのユーザ端末は、公衆サービスネットワークを介して前記サービスプラットフォームにおける事業者サーバに接続している
ことを特徴とする請求項１に記載のスマートシティシステムに適用可能なスマート家庭用エネルギーのモノのインターネットシステム。
【請求項３】
前記管理プラットフォーム及び前記サービスプラットフォームにおける事業者サーバは、順に接続している事業者通信サーバと、事業者管理サーバと事業者サービスプラットフォームサーバとを含み、
前記事業者通信サーバは、前記モノのインターネットのインテリジェントゲットウェイに接続し、
前記事業者サービスプラットフォームサーバは、前記公衆サービスネットワークに接続し、
前記事業者通信サーバと、事業者管理サーバと事業者サービスプラットフォームサーバとは、スマートシティの物理的システムにおいて、互いに独立又は一体に統合する
ことを特徴とする請求項２に記載のスマートシティシステムに適用可能なスマート家庭用エネルギーのモノのインターネットシステム。
【請求項４】
前記対象プラットフォームは、複数のエネルギーメータを有し、
前記通信プラットフォームは、１つのモノのインターネットのインテリジェントゲットウェイを有し、
前記複数のエネルギーメータは、同一のモノのインターネットのインテリジェントゲットウェイに接続する
ことを特徴とする請求項１に記載のスマートシティシステムに適用可能なスマート家庭用エネルギーのモノのインターネットシステム。
【請求項５】
前記対象プラットフォームは、複数のエネルギーメータを有し、
前記通信プラットフォームは、複数のモノのインターネットのインテリジェントゲットウェイを有し、
前記複数のエネルギーメータは、それぞれ各自のモノのインターネットのインテリジェントゲットウェイに接続する
ことを特徴とする請求項１に記載のスマートシティシステムに適用可能なスマート家庭用エネルギーのモノのインターネットシステム。
【請求項６】
前記対象プラットフォームは、複数のエネルギーメータを有し、
前記通信プラットフォームは、複数のモノのインターネットのインテリジェントゲットウェイを有し、
前記システムは、複数のセンシングユニットを有し、
各センシングユニットは、各々エネルギーメータを少なくとも１つ有し、
各センシングユニットにおけるエネルギーメータは、同一のモノのインターネットのインテリジェントゲットウェイに接続する
ことを特徴とする請求項１に記載のスマートシティシステムに適用可能なスマート家庭用エネルギーのモノのインターネットシステム。
【請求項７】
前記センシングユニットにおけるエネルギーメータは、同一サービス又は異なるサービスのエネルギーメータである
ことを特徴とする請求項６に記載のスマートシティシステムに適用可能なスマート家庭用エネルギーのモノのインターネットシステム。
【請求項８】
前記通信プラットフォームは、１つのモノのインターネットのインテリジェントゲットウェイを有し、
前記管理プラットフォーム及び前記サービスプラットフォームのいずれも複数の事業者サーバを有し、
前記モノのインターネットのインテリジェントゲットウェイは、前記管理プラットフォームにおける複数の事業者サーバのそれぞれに接続する
ことを特徴とする請求項１に記載のスマートシティシステムに適用可能なスマート家庭用エネルギーのモノのインターネットシステム。
【請求項９】
前記通信プラットフォームは、複数のモノのインターネットのインテリジェントゲットウェイを有し、
前記管理プラットフォーム及び前記サービスプラットフォームのいずれも複数の事業者サーバを有し、
前記複数のモノのインターネットのインテリジェントゲットウェイは、それぞれ各自の前記管理プラットフォームにおける事業者サーバに接続する
ことを特徴とする請求項１に記載のスマートシティシステムに適用可能なスマート家庭用エネルギーのモノのインターネットシステム。
【請求項１０】
前記通信プラットフォームは、複数のモノのインターネットのインテリジェントゲットウェイを有し、
前記管理プラットフォーム及び前記サービスプラットフォームのいずれも複数の事業者サーバを有し、
前記システムは、複数のインテリジェントゲットウェイユニットを有し、
各インテリジェントゲットウェイユニットは、各々少なくとも１つのモノのインターネットのインテリジェントゲットウェイを有し、
各インテリジェントゲットウェイユニットにおけるモノのインターネットのインテリジェントゲットウェイは、前記管理プラットフォームにおける同一事業者サーバに接続する
ことを特徴とする請求項１に記載のスマートシティシステムに適用可能なスマート家庭用エネルギーのモノのインターネットシステム。
【請求項１１】
前記インテリジェントゲットウェイユニットにおけるモノのインターネットのインテリジェントゲットウェイは、同一サービス又は異なるサービスのモノのインターネットのインテリジェントゲットウェイである
ことを特徴とする請求項１０に記載のスマートシティシステムに適用可能なスマート家庭用エネルギーのモノのインターネットシステム。
【請求項１２】
前記通信プラットフォームは、複数のモノのインターネットのインテリジェントゲットウェイを有し、
前記管理プラットフォーム及び前記サービスプラットフォームのいずれも複数の事業者サーバを有し、
前記管理プラットフォームは、複数のサーバユニットを有し、
各サーバユニットは、各々事業者サーバを少なくとも１つ有し、
各サーバユニットにおける事業者サーバは、同一のモノのインターネットのインテリジェントゲットウェイに接続する
ことを特徴とする請求項１に記載のスマートシティシステムに適用可能なスマート家庭用エネルギーのモノのインターネットシステム。
【請求項１３】
前記ユーザプラットフォームは、１つのユーザ端末を有し、
前記管理プラットフォーム及び前記サービスプラットフォームのいずれも複数の事業者サーバを有し、
前記１つのユーザ端末は、前記公衆サービスネットワークを介して前記サービスプラットフォームにおける複数の事業者サーバのそれぞれと接続する
ことを特徴とする請求項２に記載のスマートシティシステムに適用可能なスマート家庭用エネルギーのモノのインターネットシステム。
【請求項１４】
前記ユーザプラットフォームは、複数のユーザ端末を有し、
前記管理プラットフォーム及び前記サービスプラットフォームのいずれも１つの事業者サーバを有し、
前記複数のユーザ端末がいずれも前記公衆サービスネットワークを介して前記サービスプラットフォームにおける同一事業者サーバに接続する
ことを特徴とする請求項２に記載のスマートシティシステムに適用可能なスマート家庭用エネルギーのモノのインターネットシステム。
【請求項１５】
前記ユーザプラットフォームは、複数のユーザ端末を有し、
前記管理プラットフォーム及び前記サービスプラットフォームのいずれも複数の事業者サーバを有し、
前記複数のユーザ端末は、それぞれ前記公衆サービスネットワークを介して各自の前記サービスプラットフォームにおける事業者サーバに接続する
ことを特徴とする請求項２に記載のスマートシティシステムに適用可能なスマート家庭用エネルギーのモノのインターネットシステム。
【請求項１６】
前記ユーザプラットフォームは、複数のユーザ端末を有し、
前記管理プラットフォーム及び前記サービスプラットフォームのいずれも複数の事業者サーバを有し、
前記システムは、複数のユーザユニットを有し、
各ユーザユニットは、各々ユーザ端末を少なくとも１つ有し、
各ユーザユニットにおけるユーザ端末は、公衆サービスネットワークを介して前記サービスプラットフォームにおける同一事業者サーバに接続する
ことを特徴とする請求項２に記載のスマートシティシステムに適用可能なスマート家庭用エネルギーのモノのインターネットシステム。
【請求項１７】
前記ユーザユニットにおけるユーザ端末は、同一サービス又は異なるサービスのユーザ端末である
ことを特徴とする請求項１６に記載のスマートシティシステムに適用可能なスマート家庭用エネルギーのモノのインターネットシステム。
【請求項１８】
前記ユーザプラットフォームは、複数のユーザ端末を有し、
前記管理プラットフォーム及び前記サービスプラットフォームのいずれも複数の事業者サーバを有し、
前記サービスプラットフォームは、複数のサーバユニットを有し、
各サーバユニットは、各々事業者サーバを少なくとも１つ有し、
前記サーバユニットにおける事業者サーバは、前記公衆サービスネットワークを介して同一ユーザ端末に接続する
ことを特徴とする請求項２に記載のスマートシティシステムに適用可能なスマート家庭用エネルギーのモノのインターネットシステム。
【請求項１９】
前記サーバユニットにおける事業者サーバは、同一サービス又は異なるサービスの事業者サーバである
ことを特徴とする請求項１２又は１８に記載のスマートシティシステムに適用可能なスマート家庭用エネルギーのモノのインターネットシステム。
【請求項２０】
前記エネルギーメータは、インテリジェントガスメータ、インテリジェント電力メータ、インテリジェントカロリーメータ及びインテリジェント水道メータのうちの任意一種又は多種のものである
ことを特徴とする請求項１〜１８のいずれ一項に記載のスマートシティシステムに適用可能なスマート家庭用エネルギーのモノのインターネットシステム。
【請求項２１】
前記事業者サーバは、ガス事業者サーバ、電気事業者サーバ、熱供給事業者サーバ及び水道局サーバのうちの任意一種又は多種のものである
ことを特徴とする請求項１〜１８のいずれ一項に記載のスマートシティシステムに適用可能なスマート家庭用エネルギーのモノのインターネットシステム。
【発明の詳細な説明】
【技術分野】
【０００１】
本発明は、モノのインターネット（ＩｏＴ：  Ｉｎｔｅｒｎｅｔ  ｏｆ  ｔｈｉｎｇｓ）システムに関し、具体的に、主にスマートシティシステムに適用可能なスマート家庭用エネルギーのモノのインターネットシステムに関する。
【背景技術】
【０００２】
インターネット技術の発達はめざましく、グローバルの情報化推進ブームがもたらされて、人類の世界におけるインテリジェント化に対する要求及び要望もますます高まっている。２００８年に米ＩＢＭ社が初めて「スマートな地球（Ｓｍａｒｔｅｒ Ｐｌａｎｅｔ）」という発展戦略を提起したから、世界の各先進国は、スマートシティが人間社会の発展にとって避けられない傾向となることを次第に認識し、スマートシティの構築を積極的に取り組んでいる。我が国の一部先進地区においても、デジタルシティの構築を基に、スマートシティの構築を模索し始め、北京、上海、南京等の地区において、既にスマートシティを重点課題としている。現在、国内外のスマートシティに関する構築と発展は、まだ情報化シティ、インテリジェントシティの範疇にあるものに過ぎず、スマートシティに対するさらなる理解が不足で、未だ、スマートシティシステムのメカニズムに対する明確な定説がなく、スマートシティの構築の重点及び研究の焦点が主にサービス及びアプリケーションの面に集中しており、スマートシティの構築に対する方向について明確ではなくて、スマートシティという願望がまだ空想であり、着実に実現することができていない。
【発明の概要】
【０００３】
本発明の１つの目的として、上記不足に鑑みて、スマートシティシステムに適用可能なスマート家庭用エネルギーのモノのインターネットシステムを提供することにより、従来技術における、スマートシティシステムのメカニズムに対する明確な定説がなく、研究の焦点が主にサービス及びアプリケーションの面に集中しており、スマートシティのネットシステムのメカニズムに関する参照モデルが欠けている等の技術的課題を解決することを図っている。
【０００４】
上記技術的課題を解決するため、本発明は、下記のような技術案を採っている。
【０００５】
本発明によるスマートシティシステムに適用可能なスマート家庭用エネルギーのモノのインターネットシステムは、モノのインターネットのインテリジェントゲットウェイに接続するエネルギーメータを少なくとも１つ有し、前記エネルギーメータが、センシング情報を収集して前記モノのインターネットのインテリジェントゲットウェイに伝送するとともに、前記モノのインターネットのインテリジェントゲットウェイから受信した制御情報に基づいて制御を実行するように構成される対象プラットフォームと、ネットワークを介して前記対象プラットフォーム及び管理プラットフォームとそれぞれ接続し、前記センシング情報を前記管理プラットフォームに伝送するとともに、前記制御情報を前記対象プラットフォームに伝送するためのモノのインターネットのインテリジェントゲットウェイを少なくとも１つ有するように構成される通信プラットフォームと、前記通信プラットフォーム及びサービスプラットフォームとそれぞれ接続し、前記センシング情報を前記サービスプラットフォームに伝送するとともに、前記制御情報を通信プラットフォームに伝送する事業者サーバを少なくとも１つ有するように構成される管理プラットフォームと、前記管理プラットフォーム及びユーザプラットフォームのそれぞれと接続し、前記センシング情報を前記ユーザプラットフォームに伝送するとともに、前記制御情報を前記管理プラットフォームに伝送する事業者サーバを少なくとも１つ有するように構成されるサービスプラットフォームと、前記サービスプラットフォームに接続し、前記センシング情報を受信するとともに、前記制御情報を前記サービスプラットフォームに伝送するユーザ端末を少なくとも１つ有するように構成されるユーザプラットフォームとを有する。
【０００６】
さらに、前記少なくとも１つのユーザ端末は、公衆サービスネットワークを介して前記サービスプラットフォームにおける事業者サーバに接続していることが好ましい。
【０００７】
さらに、前記管理プラットフォーム及び前記サービスプラットフォームにおける事業者サーバは、順に接続している事業者通信サーバと、事業者管理サーバと事業者サービスプラットフォームサーバとを含み、前記事業者通信サーバは、モノのインターネットのインテリジェントゲットウェイに接続し、前記事業者サービスプラットフォームサーバは、前記公衆サービスネットワークに接続し、前記事業者通信サーバと、事業者管理サーバと事業者サービスプラットフォームサーバとは、スマートシティの物理的システムにおいて、互いに独立又は一体に統合することが好ましい。
【０００８】
さらに、前記対象プラットフォームは複数のエネルギーメータを有し、前記通信プラットフォームは１つのモノのインターネットのインテリジェントゲットウェイを有し、前記複数のエネルギーメータが同一のモノのインターネットのインテリジェントゲットウェイに接続することが好ましい。
【０００９】
さらに、前記対象プラットフォームは複数のエネルギーメータを有し、前記通信プラットフォームは複数のモノのインターネットのインテリジェントゲットウェイを有し、前記複数のエネルギーメータは、それぞれ各自のモノのインターネットのインテリジェントゲットウェイに接続することが好ましい。
【００１０】
さらに、前記対象プラットフォームは複数のエネルギーメータを有し、前記通信プラットフォームは複数のモノのインターネットのインテリジェントゲットウェイを有し、前記システムは、複数のセンシングユニットを有し、各センシングユニットは各々エネルギーメータを少なくとも１つ有し、各センシングユニットにおけるエネルギーメータは同一のモノのインターネットのインテリジェントゲットウェイに接続することが好ましい。
【００１１】
さらに、前記センシングユニットにおけるエネルギーメータは、同一サービス又は異なるサービスのエネルギーメータであることが好ましい。
【００１２】
さらに、前記通信プラットフォームは１つのモノのインターネットのインテリジェントゲットウェイを有し、前記管理プラットフォーム及び前記サービスプラットフォームのいずれも複数の事業者サーバを有し、前記モノのインターネットのインテリジェントゲットウェイが前記管理プラットフォームにおける複数の事業者サーバのそれぞれに接続することが好ましい。
【００１３】
さらに、前記通信プラットフォームは複数のモノのインターネットのインテリジェントゲットウェイを有し、前記管理プラットフォーム及び前記サービスプラットフォームのいずれも複数の事業者サーバを有し、前記複数のモノのインターネットのインテリジェントゲットウェイは、それぞれ各自の前記管理プラットフォームにおける事業者サーバに接続することが好ましい。
【００１４】
さらに、前記通信プラットフォームは複数のモノのインターネットのインテリジェントゲットウェイを有し、前記管理プラットフォーム及び前記サービスプラットフォームのいずれも複数の事業者サーバを有し、前記システムは、複数のインテリジェントゲットウェイユニットを有し、各インテリジェントゲットウェイユニットは各々少なくとも１つのモノのインターネットのインテリジェントゲットウェイを有し、各インテリジェントゲットウェイユニットにおけるモノのインターネットのインテリジェントゲットウェイが前記管理プラットフォームにおける同一事業者サーバに接続することが好ましい。
【００１５】
さらに、前記インテリジェントゲットウェイユニットにおけるモノのインターネットのインテリジェントゲットウェイは、同一サービス又は異なるサービスのモノのインターネットのインテリジェントゲットウェイであることが好ましい。
【００１６】
さらに、前記通信プラットフォームは複数のモノのインターネットのインテリジェントゲットウェイを有し、前記管理プラットフォーム及び前記サービスプラットフォームのいずれも複数の事業者サーバを有し、前記管理プラットフォームは、複数のサーバユニットを有し、各サーバユニットは、各々事業者サーバを少なくとも１つ有し、各サーバユニットにおける事業者サーバが同一のモノのインターネットのインテリジェントゲットウェイに接続することが好ましい。
【００１７】
さらに、前記ユーザプラットフォームは１つのユーザ端末を有し、前記管理プラットフォーム及び前記サービスプラットフォームのいずれも複数の事業者サーバを有し、前記１つのユーザ端末が前記公衆サービスネットワークを介して前記サービスプラットフォームにおける複数の事業者サーバのそれぞれに接続することが好ましい。
【００１８】
さらに、前記ユーザプラットフォームは複数のユーザ端末を有し、前記管理プラットフォーム及び前記サービスプラットフォームのいずれも１つの事業者サーバを有し、前記複数のユーザ端末がいずれも前記公衆サービスネットワークを介して前記サービスプラットフォームにおける同一事業者サーバに接続することが好ましい。
【００１９】
さらに、前記ユーザプラットフォームは複数のユーザ端末を有し、前記管理プラットフォーム及び前記サービスプラットフォームのいずれも複数の事業者サーバを有し、前記複数のユーザ端末がそれぞれ前記公衆サービスネットワークを介して各自の前記サービスプラットフォームにおける事業者サーバに接続することが好ましい。
【００２０】
さらに、前記ユーザプラットフォームは複数のユーザ端末を有し、前記管理プラットフォーム及び前記サービスプラットフォームのいずれも複数の事業者サーバを有し、前記システムは複数のユーザユニットを有し、各ユーザユニットは各々ユーザ端末を少なくとも１つ有し、各ユーザユニットにおけるユーザ端末が公衆サービスネットワークを介して前記サービスプラットフォームにおける同一事業者サーバに接続することが好ましい。
【００２１】
さらに、前記ユーザユニットにおけるユーザ端末は、同一サービス又は異なるサービスのユーザ端末であることが好ましい。
【００２２】
さらに、前記ユーザプラットフォームは複数のユーザ端末を有し、前記管理プラットフォーム及び前記サービスプラットフォームのいずれも複数の事業者サーバを有し、前記サービスプラットフォームは複数のサーバユニットを有し、各サーバユニットは事業者サーバを少なくとも１つ有し、前記サービスプラットフォームの前記サーバユニットにおける事業者サーバが前記公衆サービスネットワークを介して同一ユーザ端末に接続することが好ましい。
【００２３】
さらに、前記サーバユニットにおける事業者サーバは、同一サービス又は異なるサービスの事業者サーバであることが好ましい。
【００２４】
さらに、前記エネルギーメータは、インテリジェントガスメータ、インテリジェント電力メータ、インテリジェントカロリーメータ及びインテリジェント水道メータのうちの任意一種又は多種のものであることが好ましい。
【００２５】
さらに、前記事業者サーバは、ガス事業者サーバ、電気事業者サーバ、熱供給事業者サーバ及び水道局サーバのうちの任意一種又は多種のものであることが好ましい。
【００２６】
従来技術と比べ、本発明は下記のような有益効果を有している。モノのインターネットを対象、通信、管理、サービスおよびユーザからなるシステム構成と設計することにより、モノのインターネットでの情報伝送プロセスをさらに明瞭にさせたとともに、複数のノードで伝送することにより、情報の伝送過程で改竄されるリスクをさらに低減させた。モノのインターネットシステムにおけるセンシング情報と制御情報とは、それぞれ異なる２つの伝送ルートにより対象プラットフォームとユーザプラットフォームとの間でそれぞれ逆方向に向かって伝送されて、クローズドループの形態が形成されるため、伝送過程でのセンシング情報と制御情報との干渉を回避した。また、モノのインターネットシステムにおける各事業者サーバ、モノのインターネットのインテリジェントゲットウェイ、ユーザおよびエネルギーメータの任意の両方の間でも、一対一、多対一、多対多等の方式で接続してセンシング情報及び制御情報を伝送するため、スマートシティシステムにおけるモノのインターネットの使用上の多様な要望を満たすことができる。また、本発明によるスマートシティシステムに適用可能なスマート家庭用エネルギーのモノのインターネットシステムは、簡単な構成、多様の伝送方式により、スマートシティ構築での各種モデル設計にとって重要な参考価値があり、スマートシティ構築において、様々な機能に応じるモノのインターネットシステムとして使用され、広範に応用することができる。
【図面の簡単な説明】
【００２７】
【図１】本発明の一実施形態を説明するための構成模式図である。
【図２】本発明の実施例１を説明するための構成の模式的ブロック図である。
【図３】本発明の実施例２を説明するための構成の模式的ブロック図である。
【図４】本発明の実施例３を説明するための構成の模式的ブロック図である。
【図５】本発明の実施例４を説明するための構成の模式的ブロック図である。
【図６】本発明のもう１つの実施形態を説明するための構成模式図である。
【図７】本発明のもう１つの実施形態に基づく実施例１を説明するための構成の模式的ブロック図である。
【図８】本発明のもう１つの実施形態に基づく実施例２を説明するための構成の模式的ブロック図である。
【図９】本発明のもう１つの実施形態に基づく実施例３を説明するための構成の模式的ブロック図である。
【図１０】本発明のもう１つの実施形態に基づく実施例４を説明するための構成の模式的ブロック図である。
【発明を実施するための形態】
【００２８】
以下、図面を参照しながら本発明をさらに説明する。
【００２９】
図１に示すように、本発明の一実施形態によるスマートシティシステムに適用可能なスマート家庭用エネルギーのモノのインターネットシステムは、対象プラットフォーム（プラットフォームとは、ＰＬＡＴＦＯＲＭであり、図面にもＰＦと略称する）と、通信プラットフォームと、管理プラットフォームと、サービスプラットフォームとユーザプラットフォームとを有している。
【００３０】
対象プラットフォームは、モノのインターネットのインテリジェントゲットウェイに接続するエネルギーメータを少なくとも１つ有し、エネルギーメータが、センシング情報を収集して通信モジュールを介してモノのインターネットのインテリジェントゲットウェイに伝送するとともに、モノのインターネットのインテリジェントゲットウェイから受信した制御情報に基づいて制御を実行するように構成されている。
【００３１】
通信プラットフォームは、ネットワークを介して対象プラットフォーム及び管理プラットフォームにそれぞれ接続する。前記通信プラットフォームは、前記センシング情報を管理プラットフォームに伝送するとともに前記制御情報を対象プラットフォームに伝送するためのモノのインターネットのインテリジェントゲットウェイを少なくとも１つ有するように構成されている。
【００３２】
管理プラットフォームは、通信プラットフォーム及びサービスプラットフォームにそれぞれ接続し、前記センシング情報をサービスプラットフォームに伝送するとともに前記制御情報を通信プラットフォームに伝送する事業者サーバを少なくとも１つ有するように構成されている。
【００３３】
サービスプラットフォームは、管理プラットフォームおよびユーザプラットフォームにそれぞれと接続し、前記センシング情報をユーザプラットフォームに伝送するとともに前記制御情報を管理プラットフォームに伝送する事業者サーバを少なくとも１つ有するように構成されている。
【００３４】
ユーザプラットフォームは、サービスプラットフォームに接続し、センシング情報を受信するとともに前記制御情報をサービスプラットフォームに伝送するユーザ端末を少なくとも１つ有するように構成されている。
【００３５】
本実施形態において、一般的に、上記の少なくとも１つのユーザ端末は、接続する公衆サービスネットワークを介して、サービスプラットフォームおよび管理プラットフォームにおける事業者サーバに接続し、且つ、事業者サーバ一は、センシング情報をユーザプラットフォームに伝送し、公衆サービスネットワークを介してユーザ端末から出力された制御情報を受信することも、公衆サービスネットワークを介して実現されたことである。
【００３６】
上記本実施形態における説明のように、モノのインターネットシステムにおいて、事業者サーバの主な機能は、センシング情報を公衆サービスネットワークを介してユーザ端末に伝送するとともに、公衆サービスネットワークを介してユーザ端末から出力された制御情報を受信することである。したがって、図１に示すように、実践では、上記の事業者サーバは、順に接続している事業者通信サーバと、事業者管理サーバと事業者サービスサーバとを含んでも良い。事業者通信サーバは、モノのインターネットのインテリジェントゲットウェイに接続し、前記事業者サービスサーバは、公衆サービスネットワークに接続している。異なる需要に応じて、この三方を、システムにおいて互いに独立させてもよく、一体に統合してもよく、又はその内の二方を一体に統合して、もう一方を独立させてもよい。換言すれば、この三方が一体に統合された場合、事業者サーバは、通信、管理およびサービスの機能を同時に有するとともに、公衆サービスネットワークを介してセンシング情報をユーザ端末に伝送し、公衆サービスネットワークを介してユーザ端末からの制御情報を受信するようになる。
【００３７】
図１に示すように、スマートシティモノのインターネットの機能的プラットフォームのうち、対象プラットフォームはユーザから最も離れているプラットフォームである。感知情報は、対象から始まり、ユーザプラットフォーム又は管理プラットフォームを経由し、制御情報に変換されて対象で終わることにより、クローズドループとなる情報アーキテクチャが形成され、ユーザプラットフォーム又は管理プラットフォームは感知情報に基づいて対象を制御することを図る。対象プラットフォームは、情報アーキテクチャにおいて対象ドメインに該当し、システム構成においてエネルギーメータに該当する。また、情報アーキテクチャにおいて、対象は人であってもよく、モノであってもよく、人とモノとの組み合わせであってもよい。対象とユーザとを互いに変換することが可能である。ユーザは、感知可能の対象である場合、対象に該当する一方、対象は、感知情報を受信して相応の制御情報を送信する場合、ユーザに該当するようになる。スマートシティ対象プラットフォームの物理アーキテクチャにおけるエネルギーメータは、いずれもインテリジェントエネルギーメータであって、サービスが同一する多くのエネルギーメータであってもよく、サービスが異なる多くのエネルギーメータであってもよい。
【００３８】
通信プラットフォームは、モノのインターネットの機能的メカニズム全体にとって、情報伝送の橋となり、情報アーキテクチャにおいて通信ドメインに該当し、物理アーキテクチャにおいて、図１に示されるセンサネットワーク部分と、エネルギーメータの通信モジュールおよび事業者管理施設の事業者通信サーバとの２つの部分を含んでいる。センサネットワーク部分は、モノのインターネットのインテリジェントゲットウェイと公衆ネットワークとの２つの部分を含んでいる。公衆ネットワークは、主にモバイル公衆ネットワーク、Ｉｎｔｅｒｎｅｔ等を指している。モノのインターネットのインテリジェントゲットウェイは、従来のゲットウェイと異なって、インテリジェント管理機能を備えるモノのインターネットのインテリジェントゲットウェイである。エネルギーメータが感知した対象情報は、エネルギーメータの通信モジュールによりモノのインターネットのインテリジェントゲットウェイに伝送され、そして、モノのインターネットのインテリジェントゲットウェイにより公衆ネットワークを介して事業者管理施設に伝送されるようになる。
【００３９】
管理プラットフォームは、主に事業者がモノのインターネットの機能的メカニズム全体に対して総合管理を行うプラットフォームであり、情報アーキテクチャにおいて管理ドメインに該当し、システム構成において事業者管理施設の事業者管理サーバに該当する。サービスプラットフォームの情報アーキテクチャにおける管理ドメインは、感知情報管理システムと制御情報管理システムとを含み、システム構成における事業者管理サーバは、同一サービスを提供する多くの事業者のものであってもよく、異なるサービスを提供する多くの事業者のものであってもよく、１つの具体的なサービスを提供する１つの具体的な事業者のものであってもよい。事業者管理サーバは、情報アーキテクチャにおける感知情報管理システム及び制御情報管理システムのキャリアーとなっている。事業者は、サービスと管理との２つの役割を果たし、サービスを提供するときにサービスプラットフォームに該当し、管理を行うときに管理プラットフォームに該当するようになる。
【００４０】
サービスプラットフォームは、主にユーザに対して公衆サービスと事業者サービスを提供するプラットフォームであり、情報アーキテクチャにおいてサービスドメインに該当し、システム構成において、公衆サービス施設と事業者管理施設の事業者サービスサーバとの２つの部分に該当するようになる。事業者サービスサーバは公衆サービスネットワークを介してユーザにサービスを提供し、つまり、事業者サービスサーバからユーザにセンシング情報を伝送することも、ユーザから事業者サービスサーバに制御情報を伝送することも、公衆サービスネットワークを介して実現されたことであるため、モノのインターネットの機能的メカニズム全体の情報安全保障に寄与している。サービスプラットフォーム情報アーキテクチャにおけるサービスドメインは、感知情報サービスシステムと、制御情報サービスシステムと、公衆感知情報サービスシステムと、公衆制御情報サービスシステムとを有する。サービスプラットフォームのシステム構成における事業者サービスサーバは、同一サービスを提供する多くの事業者のものであってもよく、異なるサービスを提供する多くの事業者のものであってもよく、１つの具体的なサービスを提供する１つの具体的な事業者のものであってもよい。事業者サービスサーバは、情報アーキテクチャにおける感知情報サービスシステム及び制御情報サービスシステムのキャリアーとなり、公衆サービス施設(即ち、公衆サービスネットワーク)は、情報アーキテクチャにおける公衆感知情報サービスシステム及び公衆制御情報サービスシステムのキャリアーとなっている。公衆サービスには、主に情報資源交換、市場資源交換、法規上の監視・管理、運用メンテナンス、公衆データの統合、公衆データの記憶、公衆データの処理、公衆データの採集、識別子管理サービス、地理情報サービス、サービス管理、ユーザサービス管理等が含まれている。
【００４１】
ユーザプラットフォームは、情報アーキテクチャにおいてユーザドメインに該当し、システム構成においてユーザ端末に該当するようになる。ユーザプラットフォームのユーザとして、単独の個人ユーザであってもよくてユーザグループであってもよく、人であってもよくてモノであってもよく、企業ユーザであってもよくて政府ユーザであってもよく、要するに、モノのインターネットの機能的メカニズムによるサービスの対象であれば、ユーザとして扱う。情報アーキテクチャにおいて、ユーザは、モノのインターネットの機能的メカニズムによるサービスを受けるすべての対象を広く指しているように、抽象的な概念となっている。システム構成において、ユーザは、具体的なユーザを指し、同一サービスを受けるの多くのユーザであってもよく、異なるサービスを受ける多くのユーザであってもよく、多くの異なるサービスを受ける一人のユーザであってもよく、１つのサービスを受ける一人の具体的なユーザであってもよい。
【００４２】
ユーザ、対象、通信、管理、サービスは、モノのインターネットの情報アーキテクチャにおいていずれも概念の範疇にあるものであるが、具体的なスマートシティの各種機能的メカニズムにおいて、各機能的メカニズムのノードとなる。実践では、各機能的メカニズムのノードは互いに変換することができ、同一実体でも異なる機能的メカニズムにおいて異なるノードの範疇に属す可能性があって、モノのインターネットの情報アーキテクチャにおいて交互交差の作用が存在している。したがって、同一人物であっても、異なるスマートシティ機能的メカニズムにおいて異なるノードとして機能し、同一物理的実体は、スマートシティにおいて同時に複数のモノのインターネットに属し、同時に複数のノードとして機能している。このため、スマートシティにおいて、各機能的メカニズムは互いに包含、交差、作用するものであり、物理アーキテクチャは複雑のものであるが、情報アーキテクチャは統合された多層五ドメインという構成となっている。
【００４３】
スマートエネルギープラットフォームにおいて、インテリジェントガスメータ、インテリジェント電力メータ、インテリジェントカロリーメータ、インテリジェント水道メータを上記エネルギーメータとし、ガス用サーバ、電力用サーバ、カロリー用サーバ、水道用サーバ等を上記事業者サーバ(通信、管理及びサービスの機能を備える)とすることができる。上記ユーザ端末として、主流となっているスマートフォン、ＰＣまたはその他の制御機能を備える端末設備を用いることができる。
【００４４】
図１を参照して、本発明の上記の基本実施形態に基づく実用形態１は、多対一の接続方式を用い、即ち、対象プラットフォームに複数のエネルギーメータを設け、通信プラットフォームに１つのモノのインターネットのインテリジェントゲットウェイを設け、複数のエネルギーメータが同一のモノのインターネットのインテリジェントゲットウェイに接続するように構成されている。１つのモノのインターネットのインテリジェントゲットウェイにより、統括的に管理し、公衆ネットワークを介して情報を各事業者プラットフォームにおけるサーバに伝送するようになる。
【００４５】
図１〜図５に示すように、本発明の上記基本実施形態に基づく実用形態２は、多対多の接続方式を用い、即ち、対象プラットフォームに複数のエネルギーメータを設け、前記通信プラットフォームに複数のモノのインターネットのインテリジェントゲットウェイを設けるように構成されている。この場合、下記のような二種類の接続形態がある。
【００４６】
その一、図２に示すように、複数のエネルギーメータは各々モノのインターネットのインテリジェントゲットウェイに接続し、即ち、多対多の場合にエネルギーメータとモノのインターネットのインテリジェントゲットウェイとが一対一で接続するように構成されている。例えば、図２では、モノのインターネットのインテリジェントゲットウェイ１、２、３、４はそれぞれエネルギーメータ１、２、３、４に対応し、モノのインターネットのインテリジェントゲットウェイ１は水道用インテリジェントゲットウェイである場合、エネルギーメータ１はインテリジェント水道メータであるようになる。
【００４７】
その二、図３〜図５に示すように、複数のエネルギーメータにより複数のセンシングユニットが構成され、各センシングユニットにおけるエネルギーメータが同一のモノのインターネットのインテリジェントゲットウェイに接続するように構成されている。なお、上記のセンシングユニットにおけるエネルギーメータは、図３に示した同一サービスのエネルギーメータ又は図４および図５に示した異なるサービスのエネルギーメータである。例えば、スマートシティのエネルギープラットフォームで実用する場合、図３に示したモノのインターネットのインテリジェントゲットウェイ２はエネルギーメータ２−１、２−２、２−３に対応し、モノのインターネットのインテリジェントゲットウェイ２は水道用インテリジェントゲットウェイである場合、エネルギーメータ２−１、２−２、２−３は３つのインテリジェント水道メータであるようになる。さらに、水道メータと電力メータとは１つのモノのインターネットのインテリジェントゲットウェイを共用してもよく、又はインテリジェント水道メータと、ガスメータとカロリーメータとは１つのモノのインターネットのインテリジェントゲットウェイを共用してもよい。以下、具体的に説明する。
【００４８】
図４に示すように、多くの異なるサービスのエネルギーメータが同一ユーザに属し、モノのインターネットのインテリジェントゲットウェイ１はエネルギーメータ１−１、２−１、３−１に対応し、モノのインターネットのインテリジェントゲットウェイ１は水道・ガス・熱のインテリジェントゲットウェイであり、エネルギーメータ１−１はインテリジェント水道メータであり、エネルギーメータ２−１はインテリジェントガスメータであり、エネルギーメータ３−１はインテリジェントカロリーメータであるようになる。
【００４９】
図５に示すように、多くの異なるサービスのエネルギーメータが異なるユーザに属し、モノのインターネットのインテリジェントゲットウェイ２はエネルギーメータ１−６、２−２１、３−１０に対応し、モノのインターネットのインテリジェントゲットウェイ２は水道・ガス・熱のインテリジェントゲットウェイであり、エネルギーメータ１−６はインテリジェント水道メータであり、エネルギーメータ２−２１はインテリジェントガスメータであり、エネルギーメータ３−１０はインテリジェントカロリーメータであるようになる。
【００５０】
本発明上記の実施例において、モノのインターネットを対象、通信、管理、サービスおよびユーザからなるシステム構成と設計することにより、モノのインターネットでの情報伝送プロセスをさらに明瞭にさせたとともに、複数のノードで伝送することにより、情報の伝送過程で改竄されるリスクをさらに低減させた。モノのインターネットシステムにおけるセンシング情報と制御情報とは、それぞれ異なる２つの伝送ルートにより対象プラットフォームとユーザプラットフォームとの間でそれぞれ逆方向に向かって伝送されて、クローズドループの形態が形成されるため、伝送過程でのセンシング情報と制御情報との干渉を回避した。また、モノのインターネットシステムにおける各サーバ、モノのインターネットのインテリジェントゲットウェイ、ユーザおよびエネルギーメータは、一対一、多対一、多対多等の方式で接続してセンシング情報及び制御情報を伝送することで、スマートシティシステムにおけるモノのインターネットの使用上の多様な要望を満たすことができる。
【００５１】
図１〜４を参照し、上述したように、上記のモノのインターネットシステムにおける、エネルギーメータとモノのインターネットのインテリジェントゲットウェイとの間の接続関係の構想に基づき、本発明によるモノのインターネットシステムにおけるその他のノードに対して類する接続を行ってもよい。以下、具体的に説明し、そして、当業者は、下記の内容を参考して、本発明に基づき、様々な実用分野において複数の類似実施例を構想することができる。
【００５２】
本発明による１つの実施例として、上記通信プラットフォームに１つのモノのインターネットのインテリジェントゲットウェイを設け、管理プラットフォームに複数の事業者サーバを設け、モノのインターネットのインテリジェントゲットウェイが複数の事業者サーバのそれぞれと接続する、一対多の接続方式となるように構成される。
【００５３】
その他、上記通信プラットフォームに複数のモノのインターネットのインテリジェントゲットウェイを設け、管理プラットフォーム及びサービスプラットフォームに複数の事業者サーバを設け、複数のモノのインターネットのインテリジェントゲットウェイは、それぞれ各自の事業者サーバに接続する、一対一の接続方式となるように構成されてもいい。
【００５４】
上記の実施例と類し、通信プラットフォームに複数のモノのインターネットのインテリジェントゲットウェイを設け、管理プラットフォーム及びサービスプラットフォームに複数の事業者サーバを設け、複数のモノのインターネットのインテリジェントゲットウェイにより複数のインテリジェントゲットウェイユニットが構成され、各インテリジェントゲットウェイユニットにおけるエネルギーメータが同一事業者サーバに接続する、多対多の接続方式となるように構成してもよい。多対多の接続方式の場合、インテリジェントゲットウェイユニットにおけるモノのインターネットのインテリジェントゲットウェイは同一サービス用のものであることと、インテリジェントゲットウェイユニットにおけるモノのインターネットのインテリジェントゲットウェイは異なるサービス用のものであることとの二形態がある。具体的には、上記実施例におけるエネルギーメータとモノのインターネットのインテリジェントゲットウェイとの多対多の接続関係を参考することができる。
【００５５】
このような構想に基づき、上記実施例の構成を逆にしてもよい。即ち、通信プラットフォームに複数のモノのインターネットのインテリジェントゲットウェイを設け、管理プラットフォーム及びサービスプラットフォームに複数の事業者サーバを設けることが上記実施例と同様であるが、複数の事業者サーバにより複数のサーバユニットが構成され、各サーバユニットにおける事業者サーバが同一モノのインターネットのインテリジェントゲットウェイと接続するということが上記実施例と相違している。このような多対多の接続方式の場合も、サーバユニットにおける事業者サーバは同一サービス用のものであることと、サーバユニットにおける事業者サーバは異なるサービス用のものであることとの二形態がある。具体的には、上記実施例におけるエネルギーメータとモノのインターネットのインテリジェントゲットウェイとの多対多の接続関係を参考することができる。
【００５６】
本発明によるもう１つの実施例として、ユーザプラットフォームに１つのユーザ端末を設け、管理プラットフォーム及びサービスプラットフォームに複数の事業者サーバを設け、１つのユーザ端末が公衆サービスネットワークを介して複数の事業者サーバのそれぞれと接続する、一対多の接続方式となるように構成される。
【００５７】
その他、上記ユーザプラットフォームに複数のユーザ端末を設け、管理プラットフォーム及びサービスプラットフォームに１つだけの事業者サーバを有して、複数のユーザ端末がいずれも公衆サービスネットワークを介して同一事業者サーバに接続する、多対一の接続方式となるように構成されてもいい。
【００５８】
同様に、上記ユーザプラットフォームにも複数のユーザ端末を設け、管理プラットフォーム及びサービスプラットフォームに複数の事業者サーバを有して、複数のユーザ端末がそれぞれ公衆サービスネットワークを介して各自の事業者サーバに接続する、一対一の接続方式となるように構成されてもいい。
【００５９】
上記の実施例と類し、ユーザプラットフォームに複数のユーザ端末を設け、管理プラットフォーム及びサービスプラットフォームに複数の事業者サーバを設け、複数のユーザ端末により複数のユーザユニットが構成され、各ユーザユニットにおけるユーザ端末が公衆サービスネットワークを介して同一事業者サーバに接続する、多対多の接続方式となるように構成されてもいい。このような多対多の接続方式の場合、ユーザユニットにおけるユーザ端末は同一サービス用のものであることと、ユーザユニットにおけるユーザ端末は異なるサービス用のものであることとの二形態がある。
【００６０】
このような構想に基づき、上記実施例の構成を逆にしてもよい。即ち、ユーザプラットフォームに複数のユーザ端末を設け、管理プラットフォームサービスプラットフォームに複数の事業者サーバを設けることが上記実施例と同様であるが、複数の事業者サーバにより複数のサーバユニットが構成され、サーバユニットにおける事業者サーバが同一ユーザ端末と接続するということが上記実施例と相違している。なお、両方は、依然として上記の公衆サービスネットワークを介して接続することができる。このような多対多の接続方式の場合も、サーバユニットにおける事業者サーバは同一サービス用のものであることと、サーバユニットにおける事業者サーバは異なるサービス用のものであることとの二形態がある。よって、ユーザは１つ又は複数のユーザ端末を用い、公衆サービスネットワークを介して制御情報を管理プラットフォーム及びサービスプラットフォームにおける１つ又は複数の事業者サーバに伝送することができる。
【００６１】
なお、上記の、事業者サーバ(即ち、ガス用サーバ、電力用サーバ、カロリー用サーバ、水道用サーバ)を構成する事業者通信サーバ(即ち、ガス用通信サーバ、電力用通信サーバ、カロリー用通信サーバ、水道用通信サーバ)と、事業者管理サーバ(即ち、ガス用管理サーバ、電力用管理サーバ、カロリー用管理サーバ、水道用管理サーバ)と、事業者サービスサーバ(即ち、ガス用サービスサーバ、電力用サービスサーバ、カロリー用サービスサーバ、水道用サービスサーバ)との間でも、上記実施例と同様な一対一、多対一、多対多の方式で互いに接続することができる。当業者は上記実施例を参考して実現できることであるため、ここで詳細な説明を省略する。
【００６２】
図６に示すように、本発明のもう１つの実施形態によるスマートシティシステムに適用可能なスマート家庭用エネルギーのモノのインターネットシステムは、対象プラットフォームと、通信プラットフォームと、管理プラットフォームと、サービスプラットフォームとユーザプラットフォームとを有している。
【００６３】
対象プラットフォームは、モノのインターネットのインテリジェントゲットウェイに接続するエネルギーメータを少なくとも１つ有し、エネルギーメータが、センシング情報を収集して通信モジュールを介してモノのインターネットのインテリジェントゲットウェイに伝送するとともに、モノのインターネットのインテリジェントゲットウェイから受信した制御情報に基づいて制御を実行するように構成されている。
【００６４】
通信プラットフォームは、ネットワークを介して対象プラットフォーム及び管理プラットフォームにそれぞれ接続し、前記センシング情報を管理プラットフォームに伝送するとともに前記制御情報を対象プラットフォームに伝送するためのモノのインターネットのインテリジェントゲットウェイを少なくとも１つ有するように構成されている。
【００６５】
管理プラットフォームは、通信プラットフォーム及びサービスプラットフォームにそれぞれ接続し、前記センシング情報をサービスプラットフォームに伝送するとともに前記制御情報を通信プラットフォームに伝送する事業者サーバを少なくとも１つ有するように構成されている。
【００６６】
サービスプラットフォームは、管理プラットフォームおよびユーザプラットフォームにそれぞれと接続し、前記センシング情報をユーザプラットフォームに伝送するとともに前記制御情報を管理プラットフォームに伝送する事業者サーバを少なくとも１つ有するように構成されている。
【００６７】
ユーザプラットフォームは、サービスプラットフォームに接続し、センシング情報を受信するとともに前記制御情報をサービスプラットフォームに伝送するユーザ端末を少なくとも１つ有するように構成されている。
【００６８】
本実施形態において、一般的に、上記の少なくとも１つのユーザ端末は、接続する公衆サービスネットワークを介してサービスプラットフォームに接続する必要があり、且つ、サービスプラットフォームにおける事業者サーバ一もセンシング情報をユーザプラットフォームに伝送し、公衆サービスネットワークを介してユーザ端末から出力された制御情報を受信することも、公衆サービスネットワークを介して実現されたことである。
【００６９】
上記本実施形態における説明のように、モノのインターネットシステムにおいて、サービスプラットフォームにおける事業者サーバの主な機能は、センシング情報を公衆サービスネットワークを介してユーザ端末に伝送するとともに、公衆サービスネットワークを介してユーザ端末から出力された制御情報を受信することである。図６に示すように、実践では、上記の事業者サーバは、順に接続している事業者通信サーバと、事業者管理サーバと事業者サービスプラットフォームサーバとを含んでも良い。事業者通信サーバは、モノのインターネットのインテリジェントゲットウェイに接続し、前記事業者サービスサーバは、公衆サービスネットワークに接続している。即ち、スマート家庭用エネルギーのモノのインターネットシステムには、事業者通信サーバ(通信プラットフォームに該当)と、事業者管理サーバ(管理プラットフォームに該当)と事業者サービスプラットフォームサーバ(サービスプラットフォームに該当)との３つのタイプの事業者サーバが含まれている。異なる需要に応じて、この三方を、システムにおいて互いに独立で設けてもよく、一体に統合してもよく、又はその内の二方を一体に統合して、もう一方を独立させてもよい。換言すれば、この三方が一体に統合された場合、事業者サーバは、通信、管理およびサービスの機能を同時に有するとともに、公衆サービスネットワークを介してセンシング情報をユーザ端末に伝送し、公衆サービスネットワークを介してユーザ端末からの制御情報を受信するようになる。
【００７０】
図６に示すように、スマート家庭用エネルギーのモノのインターネットシステムの機能的プラットフォームうち、対象プラットフォームはユーザから最も離れているプラットフォームである。感知情報(センシング情報)は、対象から始まり、ユーザプラットフォーム又は管理プラットフォームを経由し、制御情報に変換されて対象で終わることにより、クローズドループとなる情報アーキテクチャが形成され、ユーザプラットフォーム又は管理プラットフォームは感知情報に基づいて対象を制御することを図る。対象プラットフォームは、情報アーキテクチャにおいて対象ドメインに該当し、システム構成においてエネルギーメータに該当する。対象とユーザとを互いに変換することが可能である。ユーザは、感知可能の対象である場合、対象に該当する一方、対象は、感知情報を受信して相応の制御情報を送信する場合、ユーザに該当するようになる。スマート家庭用エネルギーのモノのインターネットシステムの対象プラットフォームの物理アーキテクチャにおけるエネルギーメータは、いずれもインテリジェントエネルギーメータであって、サービスが同一する多くのエネルギーメータであってもよく、サービスが異なる多くのエネルギーメータであってもよい。
【００７１】
通信プラットフォームは、情報アーキテクチャにおいて通信ドメインに該当し、物理アーキテクチャにおいて、図６に示されるエネルギーメータの通信モジュール及び事業者通信サーバと、モノのインターネットのインテリジェントゲットウェイ及び公衆ネットワークととの２つの部分を含んでいる。公衆ネットワークは、主にモバイル公衆ネットワーク、Ｉｎｔｅｒｎｅｔ等を指している。モノのインターネットのインテリジェントゲットウェイは、従来のゲットウェイと異なって、インテリジェント管理機能を備えるモノのインターネットのインテリジェントゲットウェイである。エネルギーメータが感知した対象情報は、エネルギーメータの通信モジュールによりモノのインターネットのインテリジェントゲットウェイに伝送され、そして、モノのインターネットのインテリジェントゲットウェイにより公衆ネットワークを介して事業者管理施設における事業者通信サーバに伝送されるようになる。
【００７２】
管理プラットフォームは、主に事業者がモノのインターネットの機能的メカニズム全体に対して総合管理を行うプラットフォームであり、情報アーキテクチャにおいて管理ドメインに該当し、物理アーキテクチャにおいて事業者管理施設の事業者管理サーバに該当する。サービスプラットフォームの情報アーキテクチャにおける管理ドメインは、感知情報管理サブシステムと制御情報管理サブシステムとを含み、物理アーキテクチャにおける事業者管理サーバは、同一サービスを提供する多くの事業者のものであってもよく、異なるサービスを提供する多くの事業者のものであってもよく、１つの具体的なサービスを提供する１つの具体的な事業者のものであってもよい。事業者管理サーバは、情報アーキテクチャにおける感知情報管理サブシステム及び制御情報管理サブシステムのキャリアーとなっている。事業者は、サービスと管理との２つの役割を果たし、サービスを提供するときにサービスプラットフォームに該当し、管理を行うときに管理プラットフォームに該当するようになる。
【００７３】
サービスプラットフォームは主にユーザに対して公衆サービスと事業者サービスを提供するプラットフォームであり、情報アーキテクチャにおいてサービスドメインに該当し、物理アーキテクチャにおいて、事業者サービスプラットフォームサーバ、政府サーバ及び社会公衆ネットワークサーバに該当するようになる。事業者サービスプラットフォームサーバは公衆サービスネットワークを介してユーザにサービスを提供し、つまり、事業者サービスプラットフォームサーバからユーザにセンシング情報を伝送することも、ユーザから事業者サービスプラットフォームサーバに制御情報を伝送することも、公衆サービスネットワークを介して実現されたことであるため、モノのインターネットの機能的メカニズム全体の情報安全保障に寄与している。サービスプラットフォーム情報アーキテクチャにおけるサービスドメインは、事業者感知サービスサブシステムと、事業者制御サービスサブシステムと、政府感知サービスサブシステムと、社会公衆感知サービスサブシステムとを有する。サービスプラットフォームの物理アーキテクチャにおける事業者サービスプラットフォームサーバは、同一サービスを提供する多くの事業者のものであってもよく、異なるサービスを提供する多くの事業者のものであってもよく、１つの具体的なサービスを提供する１つの具体的な事業者のものであってもよい。事業者サービスプラットフォームサーバは、情報アーキテクチャにおける事業者感知サービスサブシステム及び事業者制御サービスサブシステムのキャリアーとなり、政府サーバは、情報アーキテクチャにおける政府感知サービスサブシステムのキャリアーとなり、社会公衆ネットワークサーバは、情報アーキテクチャにおける社会公衆感知サービスサブシステムのキャリアーとなっている。公衆サービスには、主に情報資源交換、市場資源交換、法規上の監視・管理、運用メンテナンス、公衆データの統合、公衆データの記憶、公衆データの処理、公衆データの採集、識別子管理サービス、地理情報サービス、サービス管理、ユーザサービス管理等が含まれている。
【００７４】
ユーザプラットフォームは、情報アーキテクチャにおいてユーザドメインに該当し、物理アーキテクチャにおいてユーザ端末に該当するようになる。ユーザプラットフォームのユーザとして、単独の個人ユーザであってもよくてユーザグループであってもよく、人であってもよくてモノであってもよく、企業ユーザであってもよくて政府ユーザであってもよく、要するに、モノのインターネットの機能的メカニズムによるサービスの対象であれば、ユーザとして扱う。情報アーキテクチャにおいて、ユーザは、モノのインターネットの機能的メカニズムによるサービスを受けるすべての対象を広く指しているように、抽象的な概念となっている。物理アーキテクチャにおいて、ユーザは、具体的なユーザを指し、同一サービスを受けるの多くのユーザであってもよく、異なるサービスを受ける多くのユーザであってもよく、多くの異なるサービスを受ける一人のユーザであってもよく、１つのサービスを受ける一人の具体的なユーザであってもよい。
【００７５】
ユーザ、対象、通信、管理、サービスは、モノのインターネットの情報アーキテクチャにおいて、いずれも概念の範疇にあるものであるが、具体的なスマートシティの各種機能的メカニズムにおいて、各機能的メカニズムのノードとなる。実践では、各機能的メカニズムのノードは互いに変換することができ、同一実体でも異なる機能的メカニズムにおいて異なるノードの範疇に属す可能性があって、モノのインターネットの情報アーキテクチャにおいて交互交差の作用が存在している。したがって、同一人物であっても、異なるスマートシティ機能的メカニズムにおいて異なるノードとして機能し、同一物理的実体は、スマートシティにおいて同時に複数のモノのインターネットに属し、同時に複数のノードとして機能している。このため、スマートシティにおいて、各機能的メカニズムは互いに包含、交差、作用するものであり、物理アーキテクチャは複雑のものであるが、情報アーキテクチャは統合された多層五ドメインという構成となっている。
【００７６】
スマート家庭用エネルギーのモノのインターネットシステムにおいて、インテリジェントガスメータ、インテリジェント電力メータ、インテリジェントカロリーメータ、インテリジェント水道メータを上記エネルギーメータとし、ガス事業者サーバ、電気事業者サーバ、熱供給事業者サーバ、水道局サーバ等を上記事業者サーバ(通信、管理及びサービス機能を備える)とすることができる。上記ユーザ端末として、主流となっているスマートフォン、ＰＣまたはその他の制御機能を備える端末設備を用いることができる。
【００７７】
図６を参照して、本発明の上記のもう１つの実施形態に基づく実用形態１は、多対一の接続方式を用い、即ち、対象プラットフォームに複数のエネルギーメータを設け、通信プラットフォームに１つのモノのインターネットのインテリジェントゲットウェイを設け、複数のエネルギーメータが同一のモノのインターネットのインテリジェントゲットウェイに接続するように構成されている。１つのモノのインターネットのインテリジェントゲットウェイにより、統括的に管理し、公衆ネットワークを介して情報を各事業者プラットフォームにおけるサーバに伝送するようになる。
【００７８】
図６〜図１０に示すように、本発明の上記のもう１つの実施形態に基づく実用形態２は、多対多の接続方式を用い、即ち、対象プラットフォームに複数のエネルギーメータを設け、前記通信プラットフォームに複数のモノのインターネットのインテリジェントゲットウェイを設けるように構成されている。この場合、下記のような二種類の接続形態がある。
【００７９】
その一、図７に示すように、複数のエネルギーメータは各々モノのインターネットのインテリジェントゲットウェイに接続し、即ち、多対多の場合にエネルギーメータとモノのインターネットのインテリジェントゲットウェイとが一対一で接続するように構成されている。例えば、図７では、モノのインターネットのインテリジェントゲットウェイ１、２、３、４はそれぞれエネルギーメータ１、２、３、４に対応し、モノのインターネットのインテリジェントゲットウェイ１は水道用インテリジェントゲットウェイである場合、エネルギーメータ１はインテリジェント水道メータであるようになる。
【００８０】
その二、図８〜図１０に示すように、複数のエネルギーメータにより複数のセンシングユニットが構成され、即ち、上記システムは複数のセンシングユニットを有し、各センシングユニットは各々エネルギーメータを少なくとも１つ有し、各センシングユニットにおけるエネルギーメータが同一のモノのインターネットのインテリジェントゲットウェイに接続するように構成されている。なお、上記のセンシングユニットにおけるエネルギーメータは、図８に示した同一サービスのエネルギーメータ又は図９および図１０に示した異なるサービスのエネルギーメータである。例えば、スマートシティのエネルギープラットフォームで実用する場合、図８に示したモノのインターネットのインテリジェントゲットウェイ２はエネルギーメータ２−１、２−２、２−３に対応し、モノのインターネットのインテリジェントゲットウェイ２は水道用インテリジェントゲットウェイである場合、エネルギーメータ２−１、２−２、２−３は３つのインテリジェント水道メータであるようになる。さらに、水道メータと電力メータとは１つのモノのインターネットのインテリジェントゲットウェイを共用してもよく、又はインテリジェント水道メータと、ガスメータとカロリーメータとは１つのモノのインターネットのインテリジェントゲットウェイを共用してもよい。以下、具体的に説明する。
【００８１】
図９に示すように、多くの異なるサービスのエネルギーメータが同一ユーザに属し、モノのインターネットのインテリジェントゲットウェイ１はエネルギーメータ１−１、２−１、３−１に対応し、モノのインターネットのインテリジェントゲットウェイ１は水道／ガス／熱のインテリジェントゲットウェイであり、エネルギーメータ１−１はインテリジェント水道メータであり、エネルギーメータ２−１はインテリジェントガスメータであり、エネルギーメータ３−１はインテリジェントカロリーメータであるようになる。
【００８２】
図１０に示すように、多くの異なるサービスのエネルギーメータが異なるユーザに属し、モノのインターネットのインテリジェントゲットウェイ２はエネルギーメータ１−６、２−２１、３−１０に対応し、モノのインターネットのインテリジェントゲットウェイ２は水道／ガス／熱のインテリジェントゲットウェイであり、エネルギーメータ１−６はインテリジェント水道メータであり、エネルギーメータ２−２１はインテリジェントガスメータであり、エネルギーメータ３−１０はインテリジェントカロリーメータであるようになる。本発明上記の実施例において、モノのインターネットを対象、通信、管理、サービスおよびユーザからなるシステム構成と設計することにより、モノのインターネットでの情報伝送プロセスをさらに明瞭にさせたとともに、複数のノードで伝送することにより、情報の伝送過程で改竄されるリスクをさらに低減させた。モノのインターネットシステムにおけるセンシング情報と制御情報とは、それぞれ異なる２つの伝送ルートにより対象プラットフォームとユーザプラットフォームとの間でそれぞれ逆方向に向かって伝送されて、クローズドループの形態が形成されるため、伝送過程でのセンシング情報と制御情報との干渉を回避した。また、モノのインターネットシステムにおける各サーバ、モノのインターネットのインテリジェントゲットウェイ、ユーザおよびエネルギーメータは、一対一、多対一、多対多等の方式で接続してセンシング情報及び制御情報を伝送することで、スマートシティシステムにおけるモノのインターネットの使用上の多様な要望を満たすことができる。
【００８３】
図６〜１０を参照し、上述したように、上記のモノのインターネットシステムにおける、エネルギーメータとモノのインターネットのインテリジェントゲットウェイとの間の接続関係の構想に基づき、本発明によるモノのインターネットシステムにおけるその他のノードに対して類する接続を行ってもよい。以下、具体的に説明し、そして、当業者は、下記の内容を参考して、本発明に基づき、様々な実用分野において複数の類似実施例を構想することができる。
【００８４】
本発明による１つの実施例として、上記通信プラットフォームに１つのモノのインターネットのインテリジェントゲットウェイを設け、管理プラットフォームに複数の事業者管理サーバを設け、モノのインターネットのインテリジェントゲットウェイが複数の事業者管理サーバのそれぞれと接続する、一対多の接続方式となるように構成される。
【００８５】
その他、上記通信プラットフォームに複数のモノのインターネットのインテリジェントゲットウェイを設け、管理プラットフォーム及びサービスプラットフォームに複数の事業者サーバを設け、複数のモノのインターネットのインテリジェントゲットウェイは、それぞれ各自の事業者管理サーバに接続する、一対一の接続方式となるように構成されてもいい。
【００８６】
上記の実施例と類し、通信プラットフォームに複数のモノのインターネットのインテリジェントゲットウェイを設け、管理プラットフォーム及びサービスプラットフォームに複数の事業者サーバを設け、複数のモノのインターネットのインテリジェントゲットウェイにより複数のインテリジェントゲットウェイユニットが構成され、即ち、上記システムは、複数のインテリジェントゲットウェイユニットを有し、各インテリジェントゲットウェイユニットは各々少なくとも１つのモノのインターネットのインテリジェントゲットウェイを有し、各インテリジェントゲットウェイユニットにおけるエネルギーメータが同一事業者サーバに接続する、多対多の接続方式となるように構成してもよい。多対多の接続方式の場合、インテリジェントゲットウェイユニットにおけるモノのインターネットのインテリジェントゲットウェイは同一サービス用のものであることと、インテリジェントゲットウェイユニットにおけるモノのインターネットのインテリジェントゲットウェイは異なるサービス用のものであることとの二形態がある。具体的には、上記実施例におけるエネルギーメータとモノのインターネットのインテリジェントゲットウェイとの多対多の接続関係を参考することができる。
【００８７】
このような構想に基づき、上記実施例の構成を逆にしてもよい。即ち、通信プラットフォームに複数のモノのインターネットのインテリジェントゲットウェイを設け、管理プラットフォーム及びサービスプラットフォームに複数の事業者サーバを設けることが上記実施例と同様であるが、複数の事業者サーバにより複数のサーバユニットが構成され、即ち、管理プラットフォームは複数のサーバユニットを有し、各サーバユニットは各々事業者サーバを少なくとも１つ有し、各サーバユニットにおける事業者サーバが同一モノのインターネットのインテリジェントゲットウェイと接続するということが上記実施例と相違している。このような多対多の接続方式の場合も、サーバユニットにおける事業者サーバは同一サービス用のものであることと、サーバユニットにおける事業者サーバは異なるサービス用のものであることとの二形態がある。具体的には、上記実施例におけるエネルギーメータとモノのインターネットのインテリジェントゲットウェイとの多対多の接続関係を参考することができる。
【００８８】
本発明によるもう１つの実施例として、ユーザプラットフォームに１つのユーザ端末を設け、管理プラットフォーム及びサービスプラットフォームに複数の事業者サーバを設け、１つのユーザ端末が公衆サービスネットワークを介して複数の事業者サーバのそれぞれと接続する、一対多の接続方式となるように構成される。
【００８９】
その他、上記ユーザプラットフォームに複数のユーザ端末を設け、管理プラットフォーム及びサービスプラットフォームに１つだけの事業者サーバを有して、複数のユーザ端末がいずれも公衆サービスネットワークを介して同一事業者サービスプラットフォームサーバに接続する、多対一の接続方式となるように構成されてもいい。
【００９０】
同様に、上記ユーザプラットフォームにも複数のユーザ端末を設け、管理プラットフォーム及びサービスプラットフォームに複数の事業者サーバを有して、複数のユーザ端末がそれぞれ公衆サービスネットワークを介して各自の事業者サービスプラットフォームサーバに接続する、一対一の接続方式となるように構成されてもいい。
【００９１】
上記の実施例と類し、ユーザプラットフォームに複数のユーザ端末を設け、管理プラットフォーム及びサービスプラットフォームに複数の事業者サーバを設け、複数のユーザ端末により複数のユーザユニットが構成され、即ち、上記システムは複数のユーザユニットを有し、各ユーザユニットは各々ユーザ端末を少なくとも１つ有し、各ユーザユニットにおけるユーザ端末が公衆サービスネットワークを介して同一事業者サーバに接続する、多対多の接続方式となるように構成される。このような多対多の接続方式の場合、ユーザユニットにおけるユーザ端末は同一サービス用のものであることと、ユーザユニットにおけるユーザ端末は異なるサービス用のものであることとの二形態がある。
【００９２】
このような構想に基づき、上記実施例の構成を逆にしてもよい。即ち、ユーザプラットフォームに複数のユーザ端末を設け、管理プラットフォームサービスプラットフォームに複数の事業者サーバを設けることが上記実施例と同様であるが、複数の事業者サーバにより複数のサーバユニットが構成され、即ち、サービスプラットフォームは複数のサーバユニットを有し、各サーバユニットは各々事業者サーバを少なくとも１つ有し、サーバユニットにおける事業者サービスプラットフォームサーバが同一ユーザ端末と接続するということが上記実施例と相違している。なお、両方は、依然として上記の公衆サービスネットワークを介して接続することができる。このような多対多の接続方式の場合も、サーバユニットにおける事業者サーバは同一サービス用のものであることと、サーバユニットにおける事業者サーバは異なるサービス用のものであることとの二形態がある。よって、ユーザは１つ又は複数のユーザ端末を用い、公衆サービスネットワークを介して制御情報をサービスプラットフォームにおける１つ又は複数の事業者サーバに伝送することができる。
【００９３】
なお、上記の、事業者サーバ(即ち、ガス事業者サーバ、電気事業者サーバ、熱供給事業者サーバ、水道局サーバ)を構成する事業者通信サーバ(即ち、ガス用通信サーバ、電力用通信サーバ、カロリー用通信サーバ、水道用通信サーバ)と、事業者管理サーバ(即ち、ガス用管理サーバ、電力用管理サーバ、カロリー用管理サーバ、水道用管理サーバ)と事業者サービスプラットフォームサーバ(即ち、ガス用サービスサーバ、電力用サービスサーバ、カロリー用サービスサーバ、水道用サービスサーバ)との間でも、上記実施例と同様な一対一、多対一、多対多の方式で互いに接続することができる。当業者は上記実施例を参考して実現できることであるため、ここで詳細な説明を省略する。
【００９４】
上記説明以外、本明細書に記載された「一実施形態」、「もう１つの実施形態」、「実施例」等について、該当実施形態／実施例を参照しながら説明した具体的な特徴、構成または特性は、該出願で概略に説明された少なくとも１つの実施形態／実施例に含まれている。明細書における複数箇所での同様な記載は、同一実施形態／実施例であると限らない。また、任意の実施例を参照しながら１つの具体的な特徴、構成または特性が説明された場合、その他の実施例で実現した該特徴、構成または特性も本発明の範囲に属すことが無論である。
【００９５】
ここで、本発明の複数の説明用の実施形態／実施例を用いて本発明を説明したが、当業者は、多数のその他の変更及び実施形態を設計することもできる、これらも本出願に開示された趣旨の範囲及び構想に該当している。もっと具体的には、本明細書、図面及び特許請求の範囲を逸脱しない限り、発明全体の構成の部品及び／又はレイアウトに対して多種の変更及び改良することができる。それ以外、当業者にとって、その他の用途も自明なことである。
【図１】
2019517170.tif 000003
【図２】
2019517170.tif 000004
【図３】
2019517170.tif 000005
【図４】
2019517170.tif 000006
【図５】
2019517170.tif 000007
【図６】
2019517170.tif 000008
【図７】
2019517170.tif 000009
【図８】
2019517170.tif 000010
【図９】
2019517170.tif 000011
【図１０】
2019517170.tif 000012
【国際調査報告】
2019517170.tif 000013
2019517170.tif 000014
2019517170.tif 000015
2019517170.tif 000016